(57)【要約】      （修正有）【課題】雑草の生育を抑制しながら手間をかけずに植物を生育させることのできる雑草抑制資材を提供する。【解決手段】防草シート１の一部に防草シートと土壌充填用の袋部２が配設されており、袋部の上部には植物植栽用の開口４が設けられ、袋部の側面には植物の根が貫通するための貫通孔が設けられている、雑草抑制資材１０である。【選択図】図１
2017123793.tif 000002
【特許請求の範囲】
【請求項１】
防草シートの一部に該防草シートと土壌充填用の袋部が配設されており、
前記袋部の上部には植物植栽用の開口が設けられ、
少なくとも前記袋部の側面には植物の根が貫通するための貫通孔が設けられている、雑草抑制資材。
【発明の詳細な説明】
【技術分野】
【０００１】
本発明は防草シートから形成される雑草抑制資材に関するものである。
【背景技術】
【０００２】
植物を植栽する際に雑草を抑制する方法として、植栽後に防草シートに切込みを入れ、対象となる植物の周りの地面を覆う方法や、地面を防草シートで覆った後に防草シートに切込みを入れ、この切込みに植物苗を植える方法などが一般におこなわれている。
【０００３】
上記する方法で防草シートに切込みを入れると、切込み部から雑草の飛来種子が浸入したり、あるいは埋土種子が発芽し、結果的に切込み部から雑草が生育し、繁茂することが多い。
【０００４】
ここで、特許文献１には、雑草の繁茂を抑制するための植栽マットが開示されている。
具体的には、下層がヤシ繊維植栽基盤、上層が防草資材からなる生分解性シートで構成され、生分解性シートに少なくとも一以上の切込みが設けられ、切込みにユリ科リュウノヒゲ属またはヤブラン属植物のセル苗が植え付けられ、ヤシ繊維植栽基盤と生分解性シートの間に培土または培土を有する所定形状の土袋が備えられているものである。
【先行技術文献】
【特許文献】
【０００５】
【特許文献１】特開２００９−２８４８０５号公報
【発明の概要】
【発明が解決しようとする課題】
【０００６】
特許文献１に記載の植栽マットによれば、雑草の繁茂を抑制でき、施工性が良く、植栽後のメンテナンス性にも優れ、かつ、コスト削減にも資するとしている。
【０００７】
ところで、上記する植栽マットを実際に施工する場合、基盤が地面と密着するようにしないと、基盤を貫通した植物の根が地面に根付くことができず、枯れに至る可能性が高い。
【０００８】
しかしながら、実際には植栽マットと凹凸のある地面を面的に密着させることは極めて困難である。
【０００９】
さらに、植物が根付くまでは高頻度で潅水せざるを得ず、植物を生育させるために多大な手間がかかってしまう。
【００１０】
本発明は上記する問題に鑑みてなされたものであり、雑草の生育を抑制しながら手間をかけずに植物を生育させることのできる雑草抑制資材を提供することを目的とする。
【課題を解決するための手段】
【００１１】
前記目的を達成すべく、本発明による雑草抑制資材は、防草シートの一部に該防草シートと土壌充填用の袋部が配設されており、前記袋部の上部には植物植栽用の開口が設けられ、少なくとも前記袋部の側面には植物の根が貫通するための貫通孔が設けられているものである。
【００１２】
本発明による雑草抑制資材は、防草シートが土壌が充填される袋部を有し、この袋部が植物植栽用の開口と植物の根が貫通するための貫通孔を有していることで、雑草の育成を抑制しながら、植物を生育することを可能としたものである。なお、「袋部」に土壌を充填することで、土壌が充填された「筒部」が形成される（袋部が筒部になる）。
【００１３】
地面を多数の防草シートで覆いながら施工することで、防草シートが敷設されたエリアの地盤内には雑草の種子が入り込み難い。
【００１４】
また、仮に防草シートの敷設前に既に地盤内に雑草の種子が存在していたとしても、防草シートが地表面と雑草の種子を隔絶することから雑草が地上に繁茂できない。
【００１５】
また、筒部がその周囲の地盤と密着することから、植物の根と地盤の間に隙間が生じることがなく、双方の間に隙間が生じることで植物が枯れてしまうといった問題は生じ得ない。
【００１６】
また、筒部の貫通孔から植物の根が筒部の外の地盤内に張り出しながら成長するため、地植え同様の植物永続性が奏される。
【００１７】
さらに、当初の植栽時にのみ潅水するだけで、植物を良好に生育させることができるため、植物の生育に手間がかからない。
【００１８】
ここで、袋部は、一端が開口し、他端が閉塞しているのが土壌充填効率の観点から望ましい。なお、袋部に充填される「土壌」とは、文字通りの土壌の他、植物が生育可能な不織布等をも包含する意味である。
【００１９】
防草シートの一部に袋部を配設する方法としては、たとえば一枚の防草シートをその途中位置で筒状に折り曲げ、折り曲げ箇所で防草シートが接触している箇所を熱融着したり、あるいは縫製することで広がりのある防草シートの途中位置に筒部を形成することができる。なお、この方法では、防草シートのいわゆる平面部と袋部が同素材のものから形成されることになる。そこで、平面部を形成する素材と袋部を形成する素材を異種素材のものから構成し、これらの異種素材に対して上記方法を適用することで防草シートの一部に袋部を配設してもよい。
【００２０】
袋状に折り曲げられた箇所は両端に開口があるため、いずれか一方の開口を端部のシートを適当に一部切断しながら折り曲げ、当該開口を閉塞することで土壌充填用の一つの開口を備えた筒部を形成することができる。
【００２１】
このようにして防草シートの途中位置に袋部を形成した後、袋部の上部に植物植栽用の開口を開設し、袋部の側面に多数の貫通孔を開設する。なお、たとえば、貫通孔の形成は袋部を形成する前の段階で防草シート（の袋部となり得る箇所）に予め形成しておいてもよい。なお、「少なくとも前記袋部の側面には植物の根が貫通するための貫通孔が設けられている」とは、貫通孔が、袋部の側面のうち、植物植栽用の開口に対応する位置にのみ形成されている形態や、袋部の側面全面に形成されている形態の他、袋部の側面のみならず防草シートの全面にも形成されている形態などを包含する意味である。
【００２２】
また、貫通孔はたとえば直径0.1〜1.0mm程度で好ましくは0.2〜0.8mmのものが多数設けられ、貫通孔の密度はたとえば60個／cm2以下で好ましくは20〜40個／cm2に設定されている。また、貫通孔は、袋部の側面全体に設けられていてもよいし、開口部に対応する側面箇所にのみ設けられていてもよい。さらに、貫通孔の形状は円形のみならず、細長のスリット形や横長の楕円形など、多様な形状のものが適用できる。なお、不織布などのように繊維間ピッチが当初から0.1mm程度になっている素材を適用する場合は、事実上「貫通孔」を開設することなく使用可能となる。
【００２３】
一方、植物植栽用の開口の開設方法は、上記する縫製にて袋部を形成する場合は当該開口に相当する箇所を縫製しないことで自動的に開口を形成することができる。また、上記する熱融着にて袋部を形成する場合は苗等の植物を植栽する際に融着部を手で外して開口を形成することができる。
【００２４】
防草シートは生分解性のシートであっても、非生分解性のシートであってもよく、耐久性やリサイクル性等を勘案して好適な素材のシートが選定できる。
【発明の効果】
【００２５】
以上の説明から理解できるように、本発明の雑草抑制資材によれば、防草シートが土壌が充填される袋部を有し、この袋部が植物植栽用の開口と植物の根が貫通するための貫通孔を有していることで、雑草の育成を解消しながら、植物を手間なく生育することができる。
【図面の簡単な説明】
【００２６】
【図１】本発明の雑草抑制資材の実施の形態１を斜め上から見た斜視図である。
【図２】本発明の雑草抑制資材の実施の形態１を斜め下から見た斜視図である。
【図３】雑草抑制資材の袋部に土壌が充填され、開口に植物が植栽されている状態を示した斜視図である。
【図４】図３で示す雑草抑制資材を複数並べて施工した状態を示した斜視図である。
【図５】（ａ）は植栽後の植物の状態を示した縦断面図であり、（ｂ）は生育後の植物の状態を示した縦断面図である。
【図６】本発明の雑草抑制資材の実施の形態２を斜め下から見た斜視図である。
【図７】本発明の雑草抑制資材の実施の形態３を斜め上から見た斜視図である。
【図８】図７で示す雑草抑制資材に植物を植栽したものを間隔をおいて複数並べて施工した状態を示した斜視図である。
【図９】図８に続く後施工後の状態を示した斜視図である。
【発明を実施するための形態】
【００２７】
以下、図面を参照して、本発明の雑草抑制資材の実施の形態１〜３をそれらの施工方法とともに説明する。
【００２８】
（雑草抑制資材の実施の形態１とその施工方法）
図１は本発明の雑草抑制資材の実施の形態１を斜め上から見た斜視図であり、図２は雑草抑制資材の実施の形態１を斜め下から見た斜視図であり、図３は雑草抑制資材の袋部に土壌が充填され、開口に植物が植栽されている状態を示した斜視図である。
【００２９】
図示する雑草抑制資材１０は、防草シート１と、防草シート１の中央に配設された防草シート１と土壌充填用の袋部２とから構成されている。
【００３０】
ここで、防草シート１は生分解性のシートであっても、非生分解性のシートであっても、さらにはそれらの組み合わせであってもよく、耐久性やリサイクル性等を勘案して好適な素材のシートが選定できる。
【００３１】
袋部２の上部には植物植栽用の開口４が複数設けられ、袋部２の側面のうち、開口４に対応する位置には植物の根が貫通するための多数の貫通孔３が設けられている。
【００３２】
防草シート１の中央に袋部２を形成する方法は、一枚の防草シート１をその中層位置で袋状に折り曲げ、折り曲げ箇所で防草シート１が接触している箇所を熱融着したり、あるいは縫製することで広がりのある防草シート１の途中位置に袋部２を形成することができる。
【００３３】
植物植栽用の開口４の開設方法は、縫製にて袋部２を形成する場合は当該開口４に相当する箇所を縫製しないことで自動的に開口４を形成することができ、熱融着にて袋部２を形成する場合は植物を植栽する際に融着部を手で外して開口４を形成することができる。また、袋部２を形成する箇所にファスナーを取り付けることで、任意の部分を開口４にすることもできる。
【００３４】
多数の貫通孔３は各開口４に対応する側面箇所に予め形成しておき、たとえば直径0.1〜1.0mm程度で好ましくは0.2〜0.8mmのものを形成する。
【００３５】
袋部２はその一端に開口端２ａを有し、他端に閉塞端２ｂを有しており、開口端２ａを介して土壌５を袋部２に充填することにより、図３で示すように土壌５が充填された筒部２Ａが形成される（袋部２が筒部２Ａとなる）。なお、土壌５に代わり、植物が生育可能な不織布を充填してもよく、さらには、必要に応じて固形肥料等を土壌等に混在させておいてもよい。
【００３６】
雑草抑制資材１０は、その全体もしくは筒部２Ａを水に浸漬させたり、十分な潅水をおこなう。
【００３７】
そして、図３で示すように、土壌５が充填された雑草抑制資材１０に対し、上部の開口４から植物６を植栽する。
【００３８】
次に、図４で示すように、施工対象の地盤Ｇに溝を掘り、溝にも十分な水を提供した後に、複数の雑草抑制資材１０を並べて施工する。
【００３９】
この際、筒部２Ａが地盤Ｇに十分に密着するように土を入れ、押し固めることにより、複数の雑草抑制資材１０の施工が完了する。
【００４０】
なお、雑草抑制資材１０を法面に施工する場合は、法面の地面に防草シート１同士を重ねるようにして複数の雑草抑制資材１０を設置する。この際、雨水等が効率的に雑草抑制資材１０の裏面の地盤に流れ込むように、下側の雑草抑制資材１０の重ね代が上側の雑草抑制資材１０の表側となるように敷設する。
【００４１】
施工直後は、図５（ａ）で示すような植物６の状態となっており、これが時間の経過にともなって図５（ｂ）で示すように貫通孔３を介して根６ａが地盤Ｇ内に張り出して地盤Ｇ内に根付く。
【００４２】
図示する雑草抑制資材１０を適用することにより、地面を多数の防草シート１で覆いながら施工することで、防草シート１が敷設されたエリアの地盤Ｇ内には雑草の種子が入り込み難くなる。
【００４３】
また、仮に防草シート１の敷設前に既に地盤Ｇ内に雑草の種子が存在していたとしても、防草シート１が地表面と雑草の種子を隔絶することから雑草が地上に繁茂できない。
【００４４】
また、筒部２がその周囲の地盤Ｇと密着することから、植物６の根６ａと地盤Ｇの間に隙間が生じることがなく、双方の間に隙間が生じることで植物が枯れてしまうといった問題は生じ得ない。
【００４５】
また、筒部２Ａの貫通孔３から植物６の根６ａが筒部２Ａの外の地盤Ｇ内に張り出しながら成長するため、地植え同様の植物永続性が奏される。
【００４６】
さらに、当初の植栽時にのみ潅水するだけで、植物を良好に生育させることができるため、植物の生育に手間がかからない。
【００４７】
（雑草抑制資材の実施の形態２）
図６は本発明の雑草抑制資材の実施の形態２を斜め下から見た斜視図である。
図示する雑草抑制資材１０Ａは、袋部２の側面全面に貫通孔３を備えたものである。
【００４８】
この雑草抑制資材１０Ａも雑草抑制資材１０と同様の製作方法で製作でき、同様の施工方法で施工でき、雑草抑制資材１０と同様の作用効果を奏することができる。
【００４９】
（雑草抑制資材の実施の形態３）
図７は本発明の雑草抑制資材の実施の形態３を斜め上から見た斜視図である。
図示する雑草抑制資材１０Ｂは、袋部２の側面全面のみならず、防草シート１の全面にも貫通孔３を備えたものである。
【００５０】
図８で示すように、雑草抑制資材１０Ｂの袋部２に土壌を充填し（筒部の形成）、開口４を介して植物６を植栽したものを、施工対象の地盤Ｇにおいて所定間隔をおいて複数並べて設置する。
【００５１】
次に、図９で示すように、各植物６に対応する位置に植物用開口７ａが開設された追加防草シート７を各植物用開口７ａに対応する植物６を挿通させながら被せて設置することにより、雑草抑制資材１０Ｂおよび追加防草シート７の施工が完了する。
【００５２】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００５３】
１…防草シート、２…袋部、２ａ…開口端、２ｂ…閉塞端、２Ａ…筒部、３…貫通孔、４…開口、５…土壌、６…植物、６ａ…根、７…追加防草シート、７ａ…植物用開口、１０，１０Ａ，１０Ｂ…雑草抑制資材
【図１】
2017123793.tif 000003
【図２】
2017123793.tif 000004
【図３】
2017123793.tif 000005
【図４】
2017123793.tif 000006
【図５】
2017123793.tif 000007
【図６】
2017123793.tif 000008
【図７】
2017123793.tif 000009
【図８】
2017123793.tif 000010
【図９】
2017123793.tif 000011